(57)【特許請求の範囲】
【請求項１】
複数のフレ−ム部材を組み合わせて形成されたベッドフレ−ムを有し、このベッドフレ−ムには床板が架設され、この床板上にマットレスが載置されるベッド装置において、
上記ベッドフレ−ムは、
矩形枠状に配置されるとともに端部がほぼ４５度の角度の傾斜部に形成された４本のフレ−ム部材と、
４本のフレ−ム部材がなす矩形枠の角部に配置され両側面に隣り合う一対のフレ−ム部材の端部が係合する係合凹部が形成された脚部材と、
この脚部材および脚部材の両側面の係合凹部に係合させた一対のフレ−ム部材の端部とを連結固定する連結具と
からなることを特徴とするベッド装置。
【請求項２】
ベッドフレ−ムを有し、このベッドフレ−ムには床板が架設され、この床板上にマットレスが載置されるベッド装置において、
上記ベッドフレ−ムの幅方向両側内面には係止具が設けられ、この係止具には上記床板を支持するための受け部を有する受け具が着脱自在に取付けられるようになっていて、この受け具は、上記係止具に係合させる上下方向の向きを変えることで、上記受け部が異なる高さになることを特徴とするベッド装置。
【発明の詳細な説明】
【０００１】
【発明の属する技術分野】
この発明は床板が架設されるベッドフレ−ムを備えたベッド装置に関する。
【０００２】
【従来の技術】
ベッド装置には種々の形式のものがあり、その１つとして矩形枠状に形成されたベッドフレ−ムを有し、このベッドフレ−ム内に床板を架設し、この床板上にマットレスを載置した構成のベッド装置が知られている。
【０００３】
このような構成のベッド装置を室内に設置した場合、就寝時に利用することは勿論であるが、それ以外にも腰を掛けなどとして利用されることが多い。その場合、利用者はマットレスの端部に腰をおろすことになるから、マットレスの端部が早期に傷んだり、マットレスに掛け布団などの寝具が掛けられている場合には腰掛けずらいなどのことがある。
【０００４】
そこで、マットレスに腰を掛けずにすむようにするため、ベッドフレ−ムを構成するフレ−ム部材の幅寸法を大きくし、ベッドフレ−ムに腰掛け易くするということが考えられている。上記フレ−ム部材は、通常、木製である。そのため、フレ−ム部材の幅寸法を大きくすると、コストが大幅に上昇するということがあったり、高重量化を招くなどのことがあるため、実用的でないなどのことがあった。
【０００５】
【発明が解決しようとする課題】
このように、従来はベッドフレ−ムに腰を掛け易くするために、ベッドフレ−ムを構成するフレ−ム部材の幅寸法を大きくしようとすると、大幅なコスト上昇や高重量化を招くということがあった。
【０００６】
この発明は、コスト上昇や高重量化を招くことなく、ベッドフレ−ムを構成するフレ−ム部材の幅寸法を大きくできるようにしたベッド装置を提供することにある。
【０００７】
【課題を解決するための手段】
請求項１の発明は、複数のフレ−ム部材を組み合わせて形成されたベッドフレ−ムを有し、このベッドフレ−ムには床板が架設され、この床板上にマットレスが載置されるベッド装置において、
上記ベッドフレ−ムは、
矩形枠状に配置されるとともに端部がほぼ４５度の角度の傾斜部に形成された４本のフレ−ム部材と、
４本のフレ−ム部材がなす矩形枠の角部に配置され両側面に隣り合う一対のフレ−ム部材の端部が係合する係合凹部が形成された脚部材と、
この脚部材および脚部材の両側面の係合凹部に係合させた一対のフレ−ム部材の端部とを連結固定する連結具と
からなることを特徴とする。
【０００９】
請求項２の発明は、ベッドフレ−ムを有し、このベッドフレ−ムには床板が架設され、この床板上にマットレスが載置されるベッド装置において、
上記ベッドフレ−ムの幅方向両側内面には係止具が設けられ、この係止具には上記床板を支持するための受け部を有する受け具が着脱自在に取付けられるようになっていて、この受け具は、上記係止具に係合させる上下方向の向きを変えることで、上記受け部が異なる高さになることを特徴とする。
【００１１】
請求項１の発明によれば、矩形枠状のベッドフレ−ムを４本のフレ−ム部材によって形成する場合、隣り合うフレ−ム部材の端部を脚部材を利用して連結するようにしたから、ベッドフレ−ムの組み立てと脚部材の取付けとを同時に行うことができる。
【００１２】
請求項２の発明によれば、ベッドフレ−ムに設けられた係止具に取付けられる受け具の向きを変えることで、この受け具に形成された床板を支持するための受け部の高さを変えることができるから、上記床板上に載置されるマットレスの支持高さを変えることができる。
【００１３】
【発明の実施の形態】
以下、この発明の一実施の形態を図面を参照して説明する。
図１と図２に示すベッド装置は矩形枠状のベッドフレ−ム１を備えている。このベッドフレ−ム１は、一対の第１のフレ−ム部材２と、この第１のフレ−ム部材２に比べて長さ寸法が短い一対の第２のフレ−ム部材３とを矩形状に配置し、隣り合うフレ−ム部材２、３の端部を後述するように脚部材４によって連結して構成されている。
【００１４】
上記フレ−ム部材２、３は図３と図５（ａ）、（ｂ）に示すように帯板状の芯部材５を有する。この芯部材５の外面側には、アルミニウムやステンレス鋼板などの所定の幅寸法の金属板によって断面形状がほぼフの字状になるよう曲成された外装部材６が設けられている。つまり、この外装部材６は、幅方向一端部側が水平部６ａに形成され、他端部側がこの水平部６ａに連続する傾斜部６ｂに形成されている。
【００１５】
さらに、外装部材６の両端部はほぼコ字状の連結部６ｃに形成され、一対の連結部６ｃは上記芯部材５の上下端面および内面の上下端部に接合され、その先端部は上記芯部材５の内面の上下端部にそれぞれ形成された係合溝７に係合されている。
【００１６】
それによって、芯部材５の上端側に位置する水平部６ａは、芯部材５の外面側に所定の幅寸法Ｗ（図５（ａ）に示す）で突出している。つまり、フレ−ム部材２、３は外装部材６の水平部６ａによって幅寸法が設定されている。
【００１７】
各フレ−ム部材２、３の長手方向両端部は約４５度の角度の傾斜部８に形成されている。上記脚部材４は図３に示すように所定厚さの板状部材からなり、その両側面にはフレ−ム部材２、３の傾斜部８の端面形状に対応する形状の係合凹部９が形成されている。この係合凹部９にはフレ−ム部材２、３の端部が係合されている。つまり、脚部材４の両側面の係合凹部９には、矩形状に配置された隣り合うフレ−ム部材２、３の端部が係合されている。
【００１８】
上記脚部材４とその両側面の係合凹部９に端部を係合させた一対のフレ−ム部材２、３とは連結具１２によって連結固定される。この連結具１２は、中央片１２ａと、この中央片１２ａの両側に所定の角度で曲成された一対の側片１２ｂとによってほぼ台形状に形成されていて、これら中央片１２ａと側片１２ｂとにはそれぞれ一対の取付孔１３が穿設されている。さらに、中央片１２ａに上下端には係合爪１４が外方に向かって折曲されている。
【００１９】
上記連結具１２は、中央片１２ａの一対の係合爪１４を上記脚部材４の内側端面の上下端部に形成された一対の係合溝１１に係合させるとともに、中央片１２ａおよび側片１２ｂに形成された取付孔１３から脚部材４および芯部材５にそれぞれねじ１５をねじ込むことで、脚部材４と一対のフレ−ム部材２、３とが連結されている。つまり、脚部材４に対して一対のフレ−ム部材２、３の端部を結合することで、フレ−ム部材２、３によるベッドフレ−ム１の組立てと、このベッドフレ−ム１に対する脚部材４の取付けとを同時に行うことができる。
【００２０】
第１のフレ−ム部材２の内面には長手方向に沿って所定間隔で複数の係止具１６が取付けられている。この係止具１６は図４に示すように矩形板状をなしていて、その一側面側には係合片１７が台形状に切り起こされている。
【００２１】
上記係止具１６には受け具１８が着脱自在に係止される。この受け具１８は断面形状がＬ字状をなしたアングル材からなり、その一辺には、図４に示すように先端を互いに上下逆方向に向けた第１の係合爪２１と第２の係合爪２２とが近接して形成されている。
【００２２】
第１の係合爪２１を上記係止具１６の係合片１７に係合させることで、図５（ａ）に示すように受け具１８は受け部２３となる他辺が下向きとなり、第２の係合爪２２を係合片１７に係合させることで、図５（ｂ）に示すように上記受け部２３が上向きとなる。
【００２３】
上記受け具１８の受け部２３には床板２４が幅方向両端部を係止させて架設され、この床板２４上にはマットレス２５が載置される。したがって、床板２４、つまりマットレス２５は、上記係止具１６の係合片１７に受け具２３の第１の係合爪２１を係合させた図５（ａ）の状態と、第２の係合爪２２を係合させた図５（ｂ）の状態とで支持高さを変えることができる。
【００２４】
ベッドフレ−ム１に対するマットレス２５の支持高さを変えることができるということは、相対的にベッド装置の高さを変えることができるということを意味する。つまり、係止具１６に対する受け具１８の係止状態を上下逆向きにするだけで、マットレス２５の高さを利用者が利用し易い高さにすることができる。
【００２５】
ベッドフレ−ム１の長手方向一端側に位置する第２のフレ−ム部材３の内面には図２に示すように一対の支持具２６が所定間隔で設けられている。この支持具２６にはヘッドボ−ド体２７から垂設された２本で対をなす二組の支持杆２８がそれぞれ支持されている。
【００２６】
このように構成されたベッド装置によれば、フレ−ム部材２、３は芯部材５の外面側に、金属板を曲成してなる外装部材６を取付けることで形成されている。フレ−ム部材２、３の幅寸法は、外装部材６の水平部６ａの幅寸法に応じて設定される。
【００２７】
そのため、フレ−ム部材２、３の幅寸法を大きくするために外装部材６の水平部６ａの幅寸法を大きくしても、フレ−ム部材２、３は中空形状であるから、重量が増大することがほとんどない。しかも、水平部６ａの幅寸法を増加させるには、その増加分に応じて外装部材６の幅寸法を増加させるだけでよいから、大幅なコスト上昇を招くようなこともない。
【００２８】
つまり、ベッドフレ−ム１に腰掛け易くするために、フレ−ム部材２、３の幅寸法を大きくしても、ベッドフレ−ム１の高重量化やコスト上昇を招くことがない。
【００２９】
上記ベッドフレ−ム１の角部に脚部材４を配置し、この脚部材４を利用して隣り合うフレ−ム部材２、３の端部を連結するようにしたから、ベッドフレ−ム１の組立て作業と、脚部材４の取付け作業とを同時に行うことができる。
【００３０】
そのため、ベッドフレ−ム１の組立て工程と脚部材４の取付け作業とを別々に行う場合に比べて作業能率の向上を計ることができるばかりか、これらの連結を連結具１２だけで行えるから、連結に要する部品点数を少なくすることができる。
【００３１】
さらに、フレ−ム部材２に設けられた係止具１６に係止される受け具１８には、先端を互いに逆方向に向けた第１の係合爪２１と第２の係合爪２２とを形成し、上記係止具１６の係合片１７にどちら係止爪２１、２２を係止させて受け具１８を取付けるかにより、床板２４を支持する受け部２３の高さを変えることができるようにした。
【００３２】
そのため、ベッドフレ−ム１の高さを変えずに、上記床板２４に支持されるマットレス２５の上面を利用者が利用し易い高さに変えることができる。つまり、係止具１６に対して受け具１８を係止させる上下方向の向きを変えるだけで、マットレス２５の支持高さを変えることができる。
【００３３】
この発明は上記一実施の形態に限定されず、発明の要旨を逸脱しない範囲で種々変形可能である。たとえば、上記一実施の形態ではベッドフレ−ムを４本のフレ−ム部材によって矩形枠状に形成したが、長手方向一端側に位置する第２のフレ−ム部材を板状のボ−ド体とし、このボ−ド体の幅方向両端部に第１のフレ−ム部材の長手方向一端を連結してベッドフレ−ムを形成するようにしてもよい。
【００３４】
また、フレ−ム部材の外装部材の断面形状をほぼフの字状にしたが、コ字状であってもよく、要は水平部を備えることができる形状であればよい。
その場合、ベッドフレ−ムの長手方向一端側は上記ボ−ド体で支持するようにしてもよいが、第１のフレ−ム部材の長手方向一端部にキャスタを設けて支持するようにしてもよい。
【００３６】
請求項１の発明によれば、矩形枠状のベッドフレ−ムを４本のフレ−ム部材によって形成する場合、隣り合うフレ−ム部材の端部を脚部材を利用して連結するようにした。
【００３７】
そのため、ベッドフレ−ムの組み立てと脚部材の取付けとを同時に行うことができるから、組立て作業の簡略化を計ることができるばかりか、フレ−ム部材の連結と脚部材の連結とを別々に行う場合に比べて連結に要する部品点数を少なくすることができる。
【００３８】
請求項２の発明によれば、ベッドフレ−ムに設けられた係止具に取付けられる受け具の向きを変えるという簡単な操作で、この受け具に形成された床板を支持するための受け部の高さを変えることができるから、それによって上記床板上に載置されるマットレスの支持高さを変えることができる。
つまり、ベッドフレ−ムの高さを変えなくとも、マットレスの支持高さを簡単な構成で確実に変えることができる。
【図面の簡単な説明】
【図１】この発明の一実施の形態を示すベッドフレ−ムの斜視図。
【図２】同じくマットレスが載置された状態を示すベッドフレ−ムの斜視図。
【図３】同じくフレ−ム部材と脚部材との連結構造を示す斜視図。
【図４】同じく係止具と受け具を示す斜視図。
【図５】同じく床板の支持高さを変えた状態を示す断面図。
【符号の説明】
１…ベッドフレ−ム
２、３…フレ−ム部材
４…脚部材
５…芯部材
６…外装部材
６ａ…水平部
６ｃ…連結部
９…係合凹部
１２…連結具
１６…係止具
１８…受け具
２４…床板
２５…マットレス
【図１】
0003568740.tif 000002
【図２】
0003568740.tif 000003
【図３】
0003568740.tif 000004
【図４】
0003568740.tif 000005
【図５】
0003568740.tif 000006